(57)【要約】【課題】局所的な天候を予測することができる情報処理装置および天候予測方法を提供する。【解決手段】実施形態の情報処理装置は、受信部と、制御部と、を備える。受信部は、需要家毎に設置されかつ当該需要家における受電電力および発電電力の少なくともいずれか一方である第１情報を計測可能な複数の外部機器から、第１情報とともに外部機器の設置位置を示す第２情報を受信する。制御部は、天候を予測する予測範囲が入力され、受信した第１情報のうち、予測範囲内の設置位置を示す第２情報とともに受信した第１情報を用いて、予測範囲の天候を予測する。【選択図】図１
2016046835.tif 000002
【特許請求の範囲】
【請求項１】
需要家毎に設置されかつ当該需要家における受電電力および発電電力の少なくともいずれか一方である第１情報を計測可能な複数の外部機器から、前記第１情報とともに前記外部機器の設置位置を示す第２情報を受信する受信部と、
天候を予測する予測範囲が入力され、受信した前記第１情報のうち、前記予測範囲内の前記設置位置を示す前記第２情報とともに受信した前記第１情報を用いて、前記予測範囲の天候を予測する制御部と、
を備えた情報処理装置。
【請求項２】
前記予測範囲内の前記設置位置を示す前記第２情報とともに受信した前記第１情報の実績である第１実績と、前記予測範囲の天候の実績である第２実績と、前記第１実績と前記第２実績との第１相関係数と、を対応付けて記憶する記憶部を備え、
前記受信部は、所定時間毎に、前記外部機器から、前記第１情報を受信し、
前記制御部は、天候を予測する予測時刻が入力され、前記第２実績との前記第１相関係数が所定値以上の前記第１実績に対応する前記第１情報を用いて、前記予測時刻における前記第１情報を推定し、所定時間前までに受信した前記第１情報から当該推定した第１情報までの推移と類似する前記第１実績と対応付けて記憶された前記第２実績を、前記予測範囲の天候として予測する請求項１に記載の情報処理装置。
【請求項３】
前記外部機器は、当該外部機器の位置を取得する取得部を備え、
前記受信部は、前記取得部により取得された前記外部機器の位置を前記設置位置として示す前記第２情報を受信する請求項１または２に記載の情報処理装置。
【請求項４】
前記受信部は、前記設置位置の天候を予測するための情報でありかつ前記受電電力および前記発電電力とは異なる種類の第１情報を受信し、
前記制御部は、受信した前記第１情報の種類のうち、前記予測範囲の天候の実績との第２相関係数が所定値以上の種類の前記第１情報を用いて、前記予測範囲の天候を予測する請求項１から３のいずれか一に記載の情報処理装置。
【請求項５】
前記受電電力および前記発電電力とは異なる種類の前記第１情報は、前記設置位置の外気温、前記設置位置の日射量、または前記設置位置の湿度である請求項４に記載の情報処理装置。
【請求項６】
前記受信部は、前記外部機器により計測された可降水量を示す情報を前記第１情報として受信する請求項１から５のいずれか一に記載の情報処理装置。
【請求項７】
需要家毎に設置されかつ当該需要家における受電電力および発電電力の少なくともいずれか一方である第１情報を計測可能な複数の外部機器から、前記第１情報とともに前記外部機器の設置位置を示す第２情報を受信し、
天候を予測する予測範囲が入力され、受信した前記第１情報のうち、前記予測範囲内の前記設置位置を示す前記第２情報とともに受信した前記第１情報を用いて、前記予測範囲の天候を予測する、
ことを含む天候予測方法。
【発明の詳細な説明】
【技術分野】
【０００１】
本発明の実施形態は、情報処理装置および天候予測方法に関する。
【背景技術】
【０００２】
天候予測情報（天候予測データ）には、一般的に、気象台の観測情報に基づいて予測された情報が用いられる。これらの天候予測情報は、比較的に広範囲の天候を予測した情報であり、天候を予測する当日の局所的な（例えば、数キロメートルあるいは数百メートルと言った）範囲の正確な天候を予測した情報ではない。
【先行技術文献】
【特許文献】
【０００３】
【特許文献１】特開２０１３−２２５９７０号公報
【発明の概要】
【発明が解決しようとする課題】
【０００４】
しかしながら、天候を予測する当日の局所的な天候を予測した天候予測情報が得ることができるシステムに対するニーズがある。
【課題を解決するための手段】
【０００５】
実施形態の情報処理装置は、受信部と、制御部と、を備える。受信部は、需要家毎に設置されかつ当該需要家における受電電力および発電電力の少なくともいずれか一方である第１情報を計測可能な複数の外部機器から、第１情報とともに外部機器の設置位置を示す第２情報を受信する。制御部は、天候を予測する予測範囲が入力され、受信した第１情報のうち、予測範囲内の設置位置を示す第２情報とともに受信した第１情報を用いて、予測範囲の天候を予測する。
【図面の簡単な説明】
【０００６】
【図１】図１は、第１の実施形態にかかる情報処理装置および天候予測方法を適用した天候予測システムの構成を示す図である。
【図２】図２は、第１の実施形態にかかる天候予測システムの需要家情報端末の構成を示す図である。
【図３】図３は、本実施形態にかかる電力系統監視装置の機能構成を示すブロック図である。
【図４】図４は、第２の実施形態にかかる需要家情報端末の構成を示す図である。
【図５】図５は、第３の実施形態にかかる電力系統監視装置が備える天候相関演算部の具体的な構成を示す図である。
【発明を実施するための形態】
【０００７】
以下、添付の図面を用いて、本実施形態にかかる情報処理装置および天候予測方法について説明する。
【０００８】
（第１の実施形態）
図１は、第１の実施形態にかかる情報処理装置および天候予測方法を適用した天候予測システムの構成を示す図である。図２は、第１の実施形態にかかる天候予測システムの需要家情報端末の構成を示す図である。本実施形態にかかる天候予測システムは、図１に示すように、電力系統１と、需要家２と、需要家情報端末３と、電力系統監視装置４と、を有している。
【０００９】
電力系統１は、需要家２が備える受電設備に対する電力の送電および需要家２が備える自家発電設備からの余剰電力の受電を行う。需要家２は、図示しない電力線を介して電力系統１と接続され、電力系統１からの電力の受電および自家発電設備による余剰電力の電力系統１への送電を行う。
【００１０】
需要家情報端末３（外部機器の一例）は、例えば、スマートメータ等により構成される。具体的には、需要家情報端末３は、需要家２毎に設置され、需要家２が備える受電設備が電力系統１から受電した電力（以下、受電電力と言う）、需要家２が備える自家発電装置（例えば、太陽光発電システムなど）が発電した電力（以下、発電電力と言う）など、天候を予測するための需要家情報（第１情報の一例）を計測可能である。本実施形態では、需要家情報端末３は、受電電力および発電電力の両方を計測可能であるが、受電電力および発電電力のうち少なくとも一方を計測可能であれば、これに限定するものではない。例えば、需要家情報端末３は、受電電力または発電電力を計測可能であるものであっても良い。
【００１１】
本実施形態では、需要家情報端末３は、図２に示すように、需要家情報計測部３１および位置情報保持部３２を備えている。需要家情報計測部３１は、受電電力および発電電力を計測可能である。また、本実施形態では、需要家情報計測部３１は、需要家情報端末３の設置位置の天候を予測するための情報でありかつ受電電力および発電電力とは異なる種類の少なくとも１つの需要家情報（第１情報の一例）を計測可能である。ここで、受電電力および発電電力とは異なる種類の需要家情報は、例えば、需要家情報端末３の設置位置の外気温、需要家情報端末３の設置位置の日射量、需要家情報端末３の設置位置の湿度等である。
【００１２】
そして、需要家情報計測部３１は、計測した需要家情報とともに、需要家情報端末３の設置位置を示す位置情報（本実施形態では、位置情報保持部３２に記憶されている位置情報）を、需要家情報端末３が有する図示しない通信デバイスを介して外部（本実施形態では、電力系統監視装置４）に送信する。
【００１３】
位置情報保持部３２は、需要家情報端末３の設置位置を示す位置情報を保持する。ここで、位置情報は、例えば、需要家情報端末３の設置位置の経度および緯度、需要家情報端末３が設置された需要家２の住所等である。本実施形態では、位置情報保持部３２は、携帯電話やスマートフォンや家庭用電気機械器具（所謂、家電）等の外部機器が保持している位置情報を取得して、当該取得した位置情報を、需要家情報端末３の設置位置を示す位置情報として保持する。または、位置情報保持部３２は、需要家情報端末３が需要家２に設置される際に、需要家情報端末３が備える図示しない操作部を介して入力された位置情報を、需要家情報端末３の設置位置を示す位置情報として保持しても良い。
【００１４】
電力系統監視装置４（情報処理装置の一例）は、需要家２毎に設置された複数の需要家情報端末３から、周期的に（所定時間毎に）、当該需要家情報端末３において計測された需要家情報を収集（受信）する。その際、電力系統監視装置４は、需要家情報とともに、当該需要家情報を計測した需要家情報端末３の設置位置を示す位置情報を受信する。そして、電力系統監視装置４は、需要家情報端末３から受信した需要家情報および位置情報をデータベースに蓄積（保存）する。また、電力系統監視装置４は、データベースに保存した需要家情報のうち、後述する予測条件入力部５３から入力された予測対象範囲内の位置情報とともに受信した需要家情報を用いて、当該予測対象範囲の天候を予測する。
【００１５】
次に、図３を用いて、本実施形態にかかる電力系統監視装置４の機能構成について説明する。図３は、本実施形態にかかる電力系統監視装置の機能構成を示すブロック図である。
【００１６】
本実施形態では、電力系統監視装置４は、図３に示すように、需要家情報取得部５１と、需要家情報蓄積部５２と、予測条件入力部５３と、天候相関演算部５４と、天候推定部５５と、天候情報出力部５６と、需要家情報記憶部５７と、天候相関データ記憶部５８と、を有している。
【００１７】
需要家情報取得部５１（受信部の一例）は、需要家２毎に設置された複数の需要家情報端末３から、当該需要家情報端末３により計測された需要家情報とともに、当該需要家情報端末３の設置位置を示す位置情報を受信（取得）する。本実施形態では、需要家情報取得部５１は、需要家情報端末３から、周期的に（所定時間毎に）、需要家情報および位置情報を受信する。需要家情報蓄積部５２は、予め設定された時間帯毎に、当該時間帯に受信した需要家情報の実績（履歴）である需要家情報実績（第１実績の一例）と、当該需要家情報実績とともに受信した位置情報と、を対応付けて需要家情報記憶部５７に保存する。
【００１８】
予測条件入力部５３は、電力系統監視装置４が備える操作部であり、天候を予測するための条件（以下、予測条件と言う）を入力可能である。ここで、予測条件は、天候の予測する際の条件であり、天候を予測する時刻（以下、予測対象時刻と言う）、天候を予測する範囲（以下、予測対象範囲と言う）等である。予測対象時刻は、ユーザによって入力された時刻であり、例えば、現在から数分後（または数十分後）等である。予測対象範囲は、ユーザにより入力された局所的な範囲であり、例えば、数キロメートルの範囲（または数百メートルの範囲）等である。予測条件入力部５３は、入力された予測条件を天候推定部５５に転送する。
【００１９】
天候相関演算部５４は、予め設定された時間帯毎に、予測条件入力部５３から入力された予測対象範囲の当該時間帯の天候の実績（履歴）である天候情報実績（第２実績）と、予測対象範囲内の設置位置を示す位置情報とともに当該時間帯に受信した各需要家情報実績との第１相関係数を算出する。そして、天候相関演算部５４は、予め設定された時間帯毎に、天候情報実績と、需要家情報実績と、第１相関係数と、を対応付けて天候相関データ記憶部５８に保存する。
【００２０】
天候推定部５５（制御部の一例）は、需要家情報端末３から受信した需要家情報のうち、予測条件入力部５３から入力された予測対象範囲内の位置情報とともに受信した需要家情報を用いて、当該予測対象範囲の天候を予測する。本実施形態では、天候推定部５５には、需要家情報記憶部５７に記憶された需要家情報実績（本実施形態では、現在から所定時間前までに受信した需要家情報実績である直近の需要家情報実績）が予め転送されているものとする。天候推定部５５は、天候相関データ記憶部５８から、入力された予測対象時刻を含む予め設定された時間帯の需要家情報実績のうち、所定値以上の第１相関係数と対応付けて記憶された需要家情報実績を抽出する。ここで、所定値は、需要家情報実績と天候情報実績との相関が強いと判断される値であり、例えば、０．７以上の値である。
【００２１】
天候推定部５５は、例えば回帰分析処理等を用いて、予め転送された需要家情報実績のうち、抽出した需要家情報実績に対応する需要家情報実績（すなわち、抽出した需要家情報実績と同一の位置情報とともに受信した需要家情報実績）に基づいて、入力された予測対象時刻における需要家情報を推定する。次いで、天候推定部５５は、天候相関データ記憶部５８に記憶された需要家情報実績のうち、予め転送された需要家情報実績から、当該推定した需要家情報までの推移が類似する需要家情報実績を読み出す。具体的には、天候推定部５５は、天候相関データ記憶部５８に記憶された需要家情報実績のうち、予め転送された需要家情報実績から当該推定した需要家情報までの推移と近似する需要家情報を読み出す。さらに、天候推定部５５は、天候相関データ記憶部５８に記憶された天候情報実績のうち、読み出した需要家情報実績と対応付けて記憶された天候情報実績を取得する。そして、天候推定部５５は、取得した天候情報実績を、入力された予測対象時刻における、入力された予測対象範囲の天候の予測結果として天候情報出力部５６に出力する。
【００２２】
需要家２に設置された需要家情報端末３（スマートメータ等）により計測される需要家情報には、電圧、電流、電力使用量（受電電力）等の様々なパラメータが考えられるが、これらの中に天候（気象情報）との相関が強いパラメータがある場合、統計的な予測を行うことで、天候を予測することができる。例えば、天候推定部５５は、下記の式（１）を用いることにより、気象情報（天候）を予測することができる。ここで、ｘは、需要家情報である。
気象情報（例えば、気温など）＝ｆ（ｘ）・・・（１）
【００２３】
一般に、夏季には、気温が高いほど需要家情報の一例である受電電力が大きくなる傾向がある（すなわち、受電電力と気温とに正の相関がある）。そのため、従来から、気温から受電電力を予測する手法は多数開発されている。例えば、回帰分析やニューラルネット等を用いて、気象情報を基に将来の受電電力を予測する技術がある。
【００２４】
しかし、いずれの技術も、下記の式（２）に示すように、気温等の気象情報から需要家情報を予測しており、上記の式（１）に示すように、需要家情報から気象情報を予測する方法（逆関数の決定手法）はあまり検討されていない。
需要家情報＝ｇ（気温、湿度等の気象情報）・・・（２）
【００２５】
気象情報ｆ（ｘ）を求める方法としては、回帰分析やニューラルネット等を用いることができる。例えば、気象情報ｆ（ｘ）を、晴れを「０」、曇りを「１」、雨を「２」等として数値化した回帰分析の結果は、下記の式（３）により表される。ここで、気象情報ｆ（ｘ）がｙ（以下、被説明変数ｙと言う）であり、需要家情報がｘ（以下、説明変数ｘと言う）である。αおよびβは、回帰分析の結果として求められる定数である。
ｙ＝αｘ＋β・・・（３）
【００２６】
天候推定部５５は、上述の式（３）の説明変数ｘに、需要家情報（受電電力）を入力することにより、気象情報ｆ（ｘ）を求めることができる。すなわち、天候推定部５５は、式（３）の説明変数ｘに需要家情報を入力して得られた被説明変数ｙを四捨五入した値を気象情報（天候）として得ることができる。
【００２７】
ここでは、説明変数ｘとして、需要家情報である受電電力を用いた例について説明したが、これに限定するものではなく、気温や湿度等の複数の需要家情報を説明変数ｘとして用いることもできる。ただし、複数の需要家情報を説明変数ｘとして用いる場合には、重回帰分析を用いて、天候を予測する。また、予測する気象情報としては、晴れや曇りや雨に限定するものではなく、例えば、予測対象範囲の平均気温や降水量を予測することも可能である。さらに、説明変数ｘとして現在の気温（需要家情報）を用い、被説明変数ｙを将来の気温としても良い。
【００２８】
天候情報出力部５６は、天候推定部５５から出力された天候の予測結果を、図示しない表示部に表示させたり、防災システム等の外部装置に出力したりすることが可能である。
【００２９】
このように、第１の実施形態にかかる天候予測システムによれば、需要家２に設置された需要家情報端末３により計測された需要家情報を用いて、予測範囲の天候を予測することができるので、局所的な天候を予測することができる。
【００３０】
（第２の実施形態）
本実施形態は、需要家情報端末が自身の設置位置を取得する取得部を備える例である。以下の説明では、第１の実施形態と同様の箇所については説明を省略する。
【００３１】
図４は、第２の実施形態にかかる需要家情報端末の構成を示す図である。本実施形態では、需要家情報端末４０は、需要家情報計測部３１に加えて、ＧＰＳ（Global  Positioning  System）情報取得部４１ａを有する位置情報保持部４１を備える点において、第１の実施形態にかかる需要家情報端末３と異なる。
【００３２】
ＧＰＳ情報取得部４１ａは、需要家情報端末４０の設置位置を取得する。本実施形態では、ＧＰＳ情報取得部４１ａは、ＧＰＳ受信機により構成され、衛星からの信号を受信し、当該受信した信号を用いて、需要家情報端末４０の設置位置を取得する。位置情報保持部４１は、ＧＰＳ情報取得部４１ａにより取得された設置位置を示す位置情報を記憶する。そして、需要家情報計測部３１は、計測した需要家情報とともに、位置情報保持部４１に記憶されている位置情報（すなわち、ＧＰＳ情報取得部４１ａにより取得した設置位置を示す位置情報）を、電力系統監視装置４に送信する。
【００３３】
電力系統監視装置４の需要家情報取得部５１は、需要家情報端末４０から、当該需要家情報端末４０により計測された需要家情報とともに、当該需要家情報端末４０が備えるＧＰＳ情報取得部４１ａにより取得された設置位置を示す位置情報を受信する。
【００３４】
このように、第２の実施形態にかかる天候予測システムによれば、需要家情報端末４０が他の機器から位置情報を取得する必要が無く、需要家情報端末４０自身が取得した正確な位置情報を天候の予測に用いることができるので、局所的な天候の予測精度を向上させることができる。
【００３５】
（第３の実施形態）
本実施形態は、受信した需要家情報の種類のうち、予測対象範囲の天候情報実績との相関係数が所定値以上の種類の需要家情報を用いて、当該予測対象範囲の天候を予測する例である。以下の説明では、上述の実施形態と同様の箇所については説明を省略する。
【００３６】
図５は、第３の実施形態にかかる電力系統監視装置が備える天候相関演算部の具体的な構成を示す図である。本実施形態では、天候相関演算部５００は、予測対象範囲内の設置位置を示す位置情報とともに受信した需要家情報（需要家情報実績）の種類毎に、天候情報実績との相関係数である第２相関係数を算出する。本実施形態では、天候相関演算部５００は、図５に示すように、電力量相関演算部５０１と、自家発電量相関演算部５０２と、外気温相関演算部５０３と、日射量相関演算部５０４と、湿度相関演算部５０５と、を有している。
【００３７】
電力量相関演算部５０１は、予め設定された時間帯毎に、需要家情報記憶部５７に記憶された当該時間帯の需要家情報実績の一つである受電電力と、天候情報実績との第２相関係数を算出する。自家発電量相関演算部５０２は、予め設定された時間帯毎に、需要家情報記憶部５７に記憶された当該時間帯の需要家情報実績の一つである発電電力と、天候情報実績との第２相関係数を算出する。
【００３８】
外気温相関演算部５０３は、予め設定された時間帯毎に、需要家情報記憶部５７に記憶された当該時間帯の需要家情報実績の一つである外気温と、天候情報実績との第２相関係数を算出する。日射量相関演算部５０４は、予め設定された時間帯毎に、需要家情報記憶部５７に記憶された当該時間帯の需要家情報実績の一つである日射量と、天候情報実績との第２相関係数を算出する。湿度相関演算部５０５は、予め設定された時間帯毎に、需要家情報記憶部５７に記憶された当該時間帯の需要家情報実績の一つである湿度と、天候情報実績との第２相関係数を算出する。
【００３９】
そして、天候相関演算部５４は、予め設定された時間帯毎に、天候情報実績と、需要家情報実績の種類と、第２相関係数と、を対応付けて天候相関データ記憶部５８に保存する。天候推定部５５は、需要家情報端末３から受信した需要家情報うち、予測対象時刻を含む予め設定された時間帯の第２相関係数が所定値以上である需要家情報実績の種類に対応する需要家情報を用いて、予測対象範囲の天候を予測する。ここで、所定値は、需要家情報実績の種類と、天候情報実績との相関が強いと判断される値であり、例えば、０．７以上の値である。
【００４０】
このように、第３の実施形態にかかる天候予測システムによれば、複数種類の需要家情報のうち天候情報実績との相関が強い需要家情報を用いて予測対象範囲の天候を予測することができるので、予測対象範囲の天候の予測精度の向上を図ることができる。
【００４１】
（第４の実施形態）
本実施形態は、電力系統監視装置が、需要家情報端末により計測された可降水量を示す情報を第１情報として受信する例である。以下の説明では、上述の実施形態と同様の箇所については説明を省略する。
【００４２】
本実施形態では、需要家情報計測部３１は、ＧＰＳ情報取得部４１ａから需要家情報端末３の設置位置における可降水量を示す可降水量データを取得する。そして、需要家情報計測部３１は、取得した可降水量データが示す可降水量を需要家情報として電力系統監視装置４に送信する。
【００４３】
本実施形態では、需要家情報取得部５１は、需要家情報端末３から、当該需要家情報端末３により計測された可降水量を示す情報を需要家情報として受信する。
【００４４】
本実施形態では、天候相関演算部５００は、予め設定された時間帯毎に、需要家情報記憶部５７に記憶された当該時間帯の需要家情報実績の一つである可降水量と、天候情報実績との第２相関係数を算出する図示しないＧＰＳ可降水量相関演算部を有する。
【００４５】
本実施形態では、天候推定部５５は、需要家情報端末３から受信した可降水量を示す需要家情報実績と対応付けて記憶された第２相関係数が所定値以上である場合、可降水量を示す需要家情報を用いて、予測対象範囲の天候を予測することが可能である。
【００４６】
このように、第３の実施形態にかかる天候予測システムによれば、予測対象範囲の天候の予測に用いる需要家情報として可降水量を用いることができるので、予測対象範囲の天候の予測精度を向上させることができる。
【００４７】
以上説明したとおり、第１から第４の実施形態によれば、需要家２に設置された需要家情報端末３により計測された需要家情報を用いて、予測範囲の天候を予測することができるので、局所的な天候を予測することができる。
【００４８】
なお、本実施形態の電力系統監視装置４で実行されるプログラムは、ＲＯＭ（Read  Only  Memory）等に予め組み込まれて提供される。本実施形態の電力系統監視装置４で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４９】
さらに、本実施形態の電力系統監視装置４で実行されるプログラムを、インターネット等のネットワークに接続されたコンピュータ上に格納し、ネットワーク経由でダウンロードさせることにより提供するように構成しても良い。また、本実施形態の電力系統監視装置４で実行されるプログラムをインターネット等のネットワーク経由で提供または配布するように構成しても良い。
【００５０】
本実施形態の電力系統監視装置４で実行されるプログラムは、上述した各部（需要家情報取得部５１、需要家情報蓄積部５２、天候相関演算部５４，５００、天候推定部５５と、天候情報出力部５６）を含むモジュール構成となっており、実際のハードウェアとしてはＣＰＵ（Central  Processing  Unit）が上記ＲＯＭからプログラムを読み出して実行することにより上記各部が主記憶装置上にロードされ、需要家情報取得部５１、需要家情報蓄積部５２、天候相関演算部５４，５００、天候推定部５５と、天候情報出力部５６が主記憶装置上に生成されるようになっている。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１  電力系統
２  需要家
３，４０  需要家情報端末
４  電力系統監視装置
３１  需要家情報計測部
３２，４１  位置情報保持部
４１ａ  ＧＰＳ情報取得部
５１  需要家情報取得部
５２  需要家情報蓄積部
５３  予測条件入力部
５４，５００  天候相関演算部
５５  天候推定部
５６  天候情報出力部
５７  需要家情報記憶部
５８  天候相関データ記憶部
５０１  電力量相関演算部
５０２  自家発電量相関演算部
５０３  外気温相関演算部
５０４  日射量相関演算部
５０５  湿度相関演算部
【図１】
2016046835.tif 000003
【図２】
2016046835.tif 000004
【図３】
2016046835.tif 000005
【図４】
2016046835.tif 000006
【図５】
2016046835.tif 000007